(57)【要約】【課題】余剰加湿水の滴下音が抑制される天井埋込型空気調和機を提供する。【解決手段】気化式加湿器の排水パイプからの余剰加湿水滴下部に防振及び防音機能を有したシート材７０を設け、このシート材７０をドレンパン１３に設けたドレン抜きキャップ３６近傍に延在し、該シート材７０をドレン抜きキャップ３６が螺合する樹脂製ドレン抜きソケット３５の鍔部３５Ｂとドレンパン１３との間に介在させるようにした。【選択図】図４
2010078266.tif 000002
【特許請求の範囲】
【請求項１】
筐体内に送風機及び熱交換器を有し、該熱交換器の空気下流側には気化式加湿器を備え、該気化式加湿器の余剰加湿水が熱交換器の下部を覆うドレンパンに排水パイプを介して滴下する天井埋込型空気調和機において、
前記排水パイプの余剰加湿水滴下部に防振及び防音機能を有したシート材を設け、
該シート材を前記ドレンパンに設けたドレン抜きキャップ近傍に延在し、
該シート材を前記ドレン抜きキャップが螺合する樹脂製ドレン抜きソケットの鍔部と前記ドレンパンとの間に介在させたことを特徴とする天井埋込型空気調和機。
【請求項２】
前記シート材を含んで前記ドレンパンの表面部に樹脂製ドレンシートを貼設し、該ドレンシートの表面部と前記ドレン抜きソケットの鍔部の上面部とを段差なく一様に連続させたことを特徴とする請求項１に記載の天井埋込型空気調和機。
【請求項３】
前記シート材に前記ドレン抜きソケットが嵌る開口部を形成し、該開口部の周縁を、一段薄く形成して、該薄肉部に該ドレン抜きソケットの鍔部を接合したことを特徴とする請求項１又は２に記載の天井埋込型空気調和機。
【発明の詳細な説明】
【技術分野】
【０００１】
本発明は、気化式加湿器を備えた天井埋込型空気調和機に関する。
【背景技術】
【０００２】
一般的な天井埋込型空気調和機は、筐体内に設けられた送風機を囲うように熱交換器が配置され、この熱交換器の下方にはドレンパンが配置されている。このドレンパンは、熱交換器から滴下する結露水を受け、この結露水は、ドレンポンプを用いて汲み上げられて、適宜排出される（例えば、特許文献１参照）。
【特許文献１】特開２００４−９３００５号公報
【発明の開示】
【発明が解決しようとする課題】
【０００３】
ところで、気化式加湿器を備えた天井埋込型空気調和機では、気化式加湿器の余剰加湿水が、熱交換器の下部を覆うドレンパンに排水パイプを介して滴下され、この余剰加湿水も上記結露水と一緒に、ドレンポンプで適宜排出される。
しかしながら、気化式加湿器の余剰加湿水が、ドレンパンに例えば大量に滴下された場合には、暗騒音の極めて小さい部屋では騒音になる場合がある。
そこで、本発明は、上述した事情に鑑みてなされたものであり、余剰加湿水の滴下音が抑制される天井埋込型空気調和機を提供することを目的とする。
【課題を解決するための手段】
【０００４】
本発明では、筐体内に送風機及び熱交換器を有し、該熱交換器の空気下流側には気化式加湿器を備え、該気化式加湿器の余剰加湿水が熱交換器の下部を覆うドレンパンに排水パイプを介して滴下する天井埋込型空気調和機において、前記排水パイプの余剰加湿水滴下部に防振及び防音機能を有したシート材を設け、該シート材を前記ドレンパンに設けたドレン抜きキャップ近傍に延在し、該シート材を前記ドレン抜きキャップが螺合するドレン抜きソケットの鍔部と前記ドレンパンとの間に介在させたことを特徴とする。
本発明では、排水パイプの余剰加湿水滴下部に防振及び防音機能を有したシート材を設けたため、余剰加湿水の滴下音が抑制され、暗騒音が極めて小さい部屋であっても、騒音にならない。また、シート材は、ドレンパンに設けたドレン抜きキャップ近傍にまで延在して、ドレン抜きキャップが螺合する樹脂製ドレン抜きソケットの鍔部と、ドレンパンとの間に介在されるため、樹脂製ドレン抜きソケットの表面をドレンが流れても、この流れ音がシート材で遮蔽され、騒音にならない。
【０００５】
シート材を含んでドレンパンの表面部に樹脂製のドレンシートを貼設し、ドレンシートの表面部とドレン抜きソケットの鍔部の上面部とを段差なく一様に連続させてもよい。
シート材にドレン抜きソケットが嵌る開口部を形成し、開口部の周縁を、一段薄く形成して、該薄肉部に該ドレン抜きソケットの鍔部を接合してもよい。
これらの構成では、ドレンシートの表面部を流れたドレンが、ドレン抜きソケットの鍔部の上面部を円滑に乗り超え、ドレン抜きキャップ近傍に流れ込む。すなわち、ドレンの流れを阻害せずにシート材を設けられる。
【発明の効果】
【０００６】
本発明によれば、排水パイプの余剰加湿水滴下部に防振及び防音機能を有したシート材を設けたため、余剰加湿水の滴下音が抑制され、暗騒音が極めて小さい部屋であっても、騒音にならない。シート材は、ドレンパンに設けたドレン抜きキャップ近傍にまで延在して、該キャップが螺合する樹脂製ドレン抜きソケットの鍔部と、ドレンパンとの間に介在するため、上記ドレン抜きソケットの表面をドレンが流れても、流れ音がシート材で遮蔽され、騒音とはならない。
【発明を実施するための最良の形態】
【０００７】
以下、図面を参照して本発明の実施形態について説明する。
図１は、本発明の実施の形態に係る天井埋込型空気調和機の側断面図である。
この天井埋込型空気調和装置１００は、板金製の箱形の筐体（空気調和機本体）１を有し、吊りボルト２で天井から吊り下げられている。この筐体１は下方が開口し、天井に埋め込まれた場合、この開口側が被調和室に対向する。この筐体１の内側には、モータ５が固定され、このモータ５のシャフトには羽根車７が取り付けられている。これらが送風機９を構成している。この送風機９を取り囲むように、多角形状に曲げられた熱交換器１１が配置され、この熱交換器１１の下側にはドレンパン１３が配置され、このドレンパン１３にはベルマウス１４が取り付けられている。
また、筐体１の下面には、化粧パネル２１が取り付けられ、この化粧パネル２１には、吸込口２２と吹出口２３とが形成され、吸込口２２の内側にはフィルタ２５が装着されている。
【０００８】
図２は、ドレンパン１３を取り除いた状態の空気調和機本体（筐体１内）を示す平面図である。
上記の熱交換器１１は多角形状に曲げられて、筐体１の内側に配置されている。この熱交換器１１は、送風機９の周囲を囲うように筐体１の形状に合わせて略四角状に曲げられており、冷媒の入口・出口側端部１１Ｋから順に４つの辺１１Ａ，１１Ｂ，１１Ｃ，１１Ｄを有している。この熱交換器１１の３辺１１Ａ，１１Ｂ，１１Ｃは、筐体１の３つの側壁１Ａ，１Ｂ，１Ｃに対して略平行に延び、残りの一辺１１Ｄは、筐体１の側壁１Ｄに対応した位置で、当該筐体１の側壁１Ｄ側に若干張り出して構成されている。
この熱交換器１１の他端（熱交換器１１内を辺１１Ａ，１１Ｂ，１１Ｃ，１１Ｄの順に通過した冷媒を逆向きに戻す折り返し側端部）１１Ｌを一端に有する辺１１Ｄの両側には、筐体１との間に比較的大きなスペースＳ１，Ｓ２が形成され、このスペースＳ１，Ｓ２に冷媒配管２７及びドレンポンプ２８が分散配置される。
【０００９】
また、このドレンポンプ２８を挟んで隣接する筐体１と熱交換器１１との間のスペースＳ３，Ｓ４（側壁１Ｃと辺１１Ｃとの間のスペースＳ３及び側壁１Ｄと辺１１Ｄとの間のスペースＳ４）は、オプション品である気化式加湿器５０を配置可能なスペースに形成されている。
この熱交換器１１の内側には、送風機９等を制御する基板を収容する電装箱４５が配設される。この電装箱４５は、熱交換器１１の一辺１１Ｄに沿う形状に形成され、熱交換器１１の辺１１Ｄに近接して配置される。このため、上面視（図２参照）で電装箱４５を送風機９の中心から離れた位置にレイアウトすることができ、電装箱４５を送風機９近傍に配置しつつ吸気抵抗を低減することができる。
【００１０】
熱交換器１１は、フィン・アンド・チューブ形の熱交換器を、送風機９を駆動した場合の空気の流れ方向に対し、二重に重ねて構成され、曲げローラ治具で多角形状に曲げられ、曲げ始め位置である冷媒の入口・出口側端部１１Ｋと、曲げ終わり位置である他端１１Ｌとの間が幅狭の管板１１Ｍを介して連結されている。これにより、熱交換器１１の曲げ始め位置となる端部１１Ｋと曲げ終わり位置となる端部１１Ｌとの間隔を接近させ、幅狭の管板１１Ｍで連結させることができるので、幅広の管板で連結するものに比べ、その分だけ伝熱面積を増大させることができる。
【００１１】
筐体１のドレンポンプ２８を挟んで隣接する２つの側壁１Ｃ，１Ｄには、種々の形状をしたノックアウトホールが形成されている。そして、オプション部品である気化式加湿器５０を取り付ける場合には、ノックアウトホールを打ち抜いて気化式加湿器５０に対応する開口を形成し、気化式加湿器５０を加湿エレメント５１が筐体１の内側に臨むように取り付ける。なお、図２では、側壁１Ｃに気化式加湿器５０を取り付けた状態を示しており、側壁１Ｄに気化式加湿器５０を取り付けた状態は仮想線（二点鎖線）で示している。
【００１２】
この気化式加湿器５０は、筐体１内に入れられる加湿エレメント５１と、筐体１外に位置し、加湿エレメント５１に水を給水する給水部５２と、加湿エレメント５１の余剰加湿水を排出する排水パイプ５３とを備える。給水部５２は、筐体１外に配設された給水管５５を通じて給水される水を減圧弁で減圧し、電磁弁を経て加湿エレメント５１に給水するようになっている。上記加湿エレメント５１は、熱交換器１１の外側、つまり、熱交換器１１の空気下流側に配置され、熱交換後の調和空気を加湿エレメント５１で加湿し、吹出口２３を介して被調和室に吹き出し、被調和室の加湿を行う。
ここで、気化式加湿器５０を直交関係で隣接する側壁１Ｃ，１Ｄのいずれか一方、或いは、両方に取り付けた場合でも、排水パイプ５３の先端がドレンポンプ２８側となるように気化式加湿器５０は筐体１に取り付けられる。
【００１３】
図３はドレンパン１３を示す図であり、図４は、図３のＩＶ−ＩＶ断面を示している。
ドレンパン１３は、熱交換器１１から落ちる結露水を受ける部材であり、ドレンパン１３の基材（断熱材）を構成する発泡スチロール１３Ａの上面部を防水性を有する樹脂製のドレンシート１３Ｂで覆って構成されている（図４参照）。
図３に示すように、このドレンパン１３は、筐体１の側壁１Ａ〜１Ｄの内面に略接した状態で配置され、熱交換器１１に沿って延在するドレン受け部３１と、このドレン受け部３１内に形成された吸込口２２に連通する大きな吸込開口３２が形成され、この吸込開口３２の周囲には、化粧パネル２１の周縁に沿って形成された複数（本例では４つ）の吹出口２３に連通する複数（本例では４つ）の吹出開口３３が形成されている。
【００１４】
図３に示すように、ドレン受け部３１の各辺のうちの熱交換器１１の辺１１Ｄ下方に位置する一辺３１Ｄと、ドレンパン１３の外周縁１３Ｄとの間には、上面視で略三角形状のスペースＳ５が形成される。このスペースＳ５は、ドレンポンプ２８が配置される筐体１内のスペースＳ２に対向しており、熱交換器１１からの結露水がドレン受け部３１を経由して溜まるドレン溜まり部（貯留部）として構成されている。
このスペースＳ５には、ドレンポンプ２８の略下方に対応する位置にドレン抜き用の貫通孔３４（図４参照）が設けられており、この貫通孔３４の周囲が最も深くなるように形成されて熱交換器１１で結露した水が貫通孔３４側へ導かれるようになっている。この貫通孔３４には、図４に示すように、樹脂製のドレン抜きソケット３５が取り付けられ、このドレン抜きソケット３５には、通常、ドレン抜きキャップ３６が螺合されて該貫通孔３４が閉塞され、この貫通孔３４周辺に溜まった水がドレンポンプ２８で吸い出されるようになっている。
【００１５】
より具体的には、ドレン抜きソケット３５は、貫通孔２４の内径と略同径の外径を有する筒状本体３５Ａと、この筒状本体３５Ａの上方に一体的に形成された鍔部３５Ｂとを有し、ドレンパン１３の上方から貫通孔３４に挿入された状態で固定され、鍔部３５Ｂによりドレンパン１３から下には抜けないようになっている。本構成では、この筒状本体３５Ａに対してドレン抜きキャップ３６を螺合する構造としているが、筒状本体３５Ａにドレン抜きキャップ３６を嵌め込む構造も可能である。
このドレン抜きキャップ３６は、ゴム等の弾性材料で形成されており、このドレン抜きキャップ３６の先端には、深孔３６Ａが形成され、この深孔３６Ａは、ドレン抜きソケット３５に取り付けた状態でドレンパン１３の最下面に位置するようになっている。このため、ドレンポンプ２８の吸い出し口を、この深孔３６Ａに近接配置することによって、吸い出し口の最下面を低くでき、ドレンパン１３に貯まった水をほぼ完全に吸い出すことができる。
【００１６】
ところで、気化式加湿器５０を取り付けた場合には、気化式加湿器５０の余剰加湿水がドレンパン１３に滴下されるため、この滴下時に発生する音が暗騒音の極めて小さい部屋では騒音になるおそれがあった。
そこで、本構成では、気化式加湿器５０の排水パイプ５３から余剰加湿水が滴下される領域（余剰加湿水滴下部）ＡＲ（図３参照）に、防振及び防音機能を有したシート材７０を配設するようにしている。ここで、領域ＡＲは、上記スペースＳ５内の領域である。
詳述すると、シート材７０は、ドレンパン１３に形成した領域ＡＲに対応する凹み部１３Ｘ（図４参照）に嵌った状態で接着剤等でドレンパン１３に接合され、この嵌った状態で、シート材７０を含むドレンパン１３の表面部にドレンシート１３Ｂが貼設され、ドレンシート１３Ｂの表面部とドレン抜きソケット３５の鍔部３５Ｂの上面部とを段差無く一様に連続させるようにしている。
【００１７】
このシート材７０は、ドレンパン１３に取り付けられた状態では、ドレンパン１３に設けたドレン抜きソケット３５の鍔部３５Ｂとドレンパン１３との間を環状に介在し、かつ、気化式加湿器５０を筐体１の直交関係で隣接する側壁１Ｃ，１Ｄのいずれか一方、或いは、両方に取り付けた場合でも、排水パイプ５３の先端から滴下される余剰加湿水を確実に受けることができる領域に配設されるようになっている。
このシート材７０には、ブチルゴム（ポリイソブチレン）をシート状に形成したものが適用される。ブチルゴムは、反撥弾性が非常に小さく、振動減衰が速い材料であるため、衝撃吸収性を有し、この振動吸収性により防振及び防音機能を具備し、また、水を通さない材料である。
【００１８】
このため、このシート材７０に気化式加湿器５０の余剰加湿水を滴下させることによって、滴下時に発生する音量そのものを低減できると共に、この音が被調和室に伝達するのを遮蔽（遮音）することができる。
このシート材７０には、ドレン抜きソケット３５が嵌る開口部７０Ａが形成されており、この開口部７０Ａの周縁を一様に薄くして薄肉部７０Ｂを形成し、この薄肉部７０Ｂをドレン抜きソケット３５の鍔部３５Ｂとドレンパン１３との間に介在させているため、このシート材７０をドレン抜きソケット３５とドレンパン１３との隙間を埋める止水シールとして機能させることができる。
また、このシート材７０の薄肉部７０Ｂ以外の部分は、図４に示すように、薄肉部７０Ｂより厚く、しかも、上面部にドレンシート１３Ｂを貼り付けた場合にドレンシート１３Ｂの表面部とドレン抜きソケット３５の鍔部３５Ｂの上面部とを段差無く一様に連続させる厚肉部７０Ｃに形成されるので、十分な防振及び防音機能を具備すると共に、ドレンシート１３Ｂの表面部を流れたドレンがドレン抜きソケット３５の鍔部３５Ｂの上面部を円滑に乗り越え、ドレン抜きキャップ３６近傍に流すことができる。
【００１９】
以上説明したように、本実施の形態によれば、気化式加湿器５０の排水パイプ５３からの余剰加湿水滴下部である領域ＡＲに防振及び防音機能を有したシート材７０を設けたので、余剰加湿水の滴下音が抑制され、暗騒音が極めて小さい部屋であっても、騒音にならない。
また、シート材７０は、ドレンパン１３に設けたドレン抜きキャップ３６近傍に延在し、該シート材７０をドレン抜きキャップ３６が螺合する樹脂製のドレン抜きソケット３５の鍔部３５Ｂとドレンパン１３との間に介在するので、シート材７０を止水シールとして機能させることができ、しかも、ドレン抜きソケット３５の表面をドレンが流れても、この流れ音がシート材７０で遮蔽され、騒音にならない。
【００２０】
さらに、シート材７０を含んでドレンパン１３の表面部に樹脂製のドレンシート１３Ｂを貼設し、ドレンシート１３Ｂの表面部とドレン抜きソケット３５の鍔部３５Ｂの上面部とを段差なく一様に連続させたので、ドレンシート１３Ｂの表面部を流れたドレンが、ドレン抜きソケット３５の鍔部３５Ｂの上面部を円滑に乗り超え、ドレン抜きキャップ３６近傍に流れ込み、すなわち、ドレンの流れを阻害せずにシート材７０を設けることができる。
この場合、シート材７０にドレン抜きソケット３５が嵌る開口部７０Ａを形成し、該開口部７０Ａの周縁を、一段薄く形成して、該薄肉部７０Ｂに該ドレン抜きソケット３５の鍔部３５Ｂを接合したので、ドレン抜きソケット３５の鍔部３５Ｂとドレンパン１３との間にシート材７０を介在させつつ、ドレンシート１３Ｂの表面部とドレン抜きソケット３５の鍔部３５Ｂの上面部とを段差なく一様に連続させることができる。
【００２１】
なお、上述した実施形態は、あくまでも本発明の一態様を示すものであり、本発明の範囲内で任意に変形および応用が可能である。
【図面の簡単な説明】
【００２２】
【図１】本発明の実施の形態に係る天井埋込型空気調和機の側断面図である。
【図２】ドレンパンを取り除いた状態の空気調和機本体を示す平面図である。
【図３】ドレンパンを示す図である。
【図４】図３のＩＶ−ＩＶ断面図である。
【符号の説明】
【００２３】
１  筐体（空気調和機本体）
９  送風機
１１  熱交換器
１３  ドレンパン
１３Ａ  発泡スチロール
１３Ｂ  ドレンシート
１３Ｘ  凹み部
２１  化粧パネル
２８  ドレンポンプ
３５  ドレン抜きソケット
３５Ｂ  鍔部
３６  ドレン抜きキャップ
５０  気化式加湿器
５１  加湿エレメント
５２  給水部
５３  排水パイプ
７０  シート材
７０Ａ  開口部
７０Ｂ  薄肉部
７０Ｃ  厚肉部
１００  天井埋込型空気調和装置
【図１】
2010078266.tif 000003
【図２】
2010078266.tif 000004
【図３】
2010078266.tif 000005
【図４】
2010078266.tif 000006